(57)【要約】【課題】遊技の射幸性が上がりすぎることなく遊技の興趣を向上させることができる遊技機を提供する。【解決手段】表示された複数の選択画像の中から選択された選択画像に応じた制御を行うものであって、表示された複数の選択画像のうち、少なくとも１つ以上の選択画像を段階的にランクアップさせ、ランクアップさせる際、有利度の高い方の選択画像をランクアップさせる一方で、有利度の低い方の選択画像は現状維持にすることで、遊技の射幸性が上がりすぎることなく遊技の興趣を向上させることができる。【選択図】図２
2020014672.tif 000002
【特許請求の範囲】
【請求項１】
遊技を行う遊技機であって、
互いの有利度の異なる複数の選択画像を表示部に表示させる表示手段と、
前記表示部に前記複数の選択画像が表示された後の所定タイミングにおいて、当該複数の選択画像の中から少なくとも１つ以上の選択画像を選択する選択手段と、
前記選択手段によって選択された前記選択画像に応じた制御を行う制御手段と、
前記表示部に前記複数の選択画像が表示されてから前記所定タイミングが到来するまでの表示期間において、変更条件が成立したときに、当該複数の選択画像のうちの少なくとも１つ以上の選択画像を、当該選択画像とは有利度の異なる他の選択画像に変更する変更手段とを備え、
前記変更手段は、前記表示期間において、前記複数の選択画像のうち、第１選択画像および当該第１選択画像よりも有利度の低い第２選択画像が前記表示部に表示されている場合、前記変更条件が成立したときに、当該第２選択画像よりも高い確率で当該第１選択画像を変更する、遊技機。
【発明の詳細な説明】
【技術分野】
【０００１】
本発明は、遊技を行う遊技機に関する。
【背景技術】
【０００２】
遊技機として、各々が識別可能な複数種類の識別情報を変動表示可能な可変表示部を備え、可変表示部を変動表示した後、可変表示部の変動表示を停止することで表示結果を導出し、該表示結果に応じて入賞が発生可能なスロットマシンがある。さらに、遊技機として、遊技媒体である遊技球を発射装置によって遊技領域に発射し、遊技領域に設けられた入賞口などの入賞領域に遊技球が入賞すると、遊技用価値を遊技者に付与するパチンコ遊技機がある。
【０００３】
このような遊技機として、レベルアップ当選ごとに段階的に昇格する複数の階層によって構成された演出状態に制御するスロットマシンがあった（たとえば、特許文献１）。
【先行技術文献】
【特許文献】
【０００４】
【特許文献１】特開２０１８−７９１０７号公報
【発明の概要】
【発明が解決しようとする課題】
【０００５】
上述した遊技機においては、ゲーム性に富んだ演出状態を実現することで単調さを解消するようになっているが、演出状態の有利度合いを段階的に上げ易くしてしまうと、遊技者の有利度合いが高くなりすぎ、遊技の射幸性が上がりすぎてしまう虞がある。一方、演出状態の有利度合いを段階的に上げ難くしてしまうと、遊技者の有利度合いが高くなり難く、遊技の興趣が低下する虞がある。
【０００６】
この発明は、かかる実情に鑑み考え出されたものであり、その目的は、遊技の射幸性が上がりすぎることなく遊技の興趣を向上させることができる遊技機を提供することである。
【課題を解決するための手段】
【０００７】
（１）  遊技を行う遊技機（たとえば、スロットマシン１）であって、
互いの有利度の異なる複数の選択画像（たとえば、左選択画像，中選択画像，右選択画像）を表示部（たとえば、液晶表示器５１）に表示させる表示手段（たとえば、サブ制御部９１による液晶表示器５１を制御する処理）と、
前記表示部に前記複数の選択画像が表示された後（たとえば、図４に示すように、ランクアップ期間の１Ｇ目で選択画像が表示された後）の所定タイミング（たとえば、図１０に示すように、ランクアップ期間の１０Ｇ目）において、当該複数の選択画像の中から少なくとも１つ以上の選択画像を選択する選択手段（たとえば、サブ制御部９１による選択画像を選択する処理）と、
前記選択手段によって選択された前記選択画像に応じた制御を行う制御手段（たとえば、サブ制御部９１による選択画像の選択によって付与された特典に応じて有利状態に制御する処理）と、
前記表示部に前記複数の選択画像が表示されてから前記所定タイミングが到来するまでの表示期間（たとえば、ランクアップ期間）において、変更条件が成立したとき（たとえば、図１７のＳ１０でＹＥＳのとき）に、当該複数の選択画像のうちの少なくとも１つ以上の選択画像を、当該選択画像とは有利度の異なる他の選択画像に変更する変更手段（たとえば、図５，図１１，図１５に示すように、サブ制御部９１による選択画像をランクアップさせる処理）とを備え、
前記変更手段は、前記表示期間（たとえば、図５に示すランクアップ期間中の２Ｇ目）において、前記複数の選択画像のうち、第１選択画像（たとえば、「良」の選択画像）および当該第１選択画像よりも有利度の低い第２選択画像（たとえば、「普」の選択画像）が前記表示部に表示されている場合、前記変更条件が成立したときに、当該第２選択画像よりも高い確率で当該第１選択画像を変更する（たとえば、「良」の選択画像と「普」の選択画像とでは、１００％の確率で「良」の選択画像が変更される）。
【図面の簡単な説明】
【０００８】
【図１】（ａ）は、本実施形態に係るスロットマシンの正面図であり、（ｂ）は、スロットマシンの主な内部構成の一例を示す図である。
【図２】本実施の形態に係るスロットマシンが実行する演出の概要を説明するための図である。
【図３】通常期間中における演出の一例を説明するための図である。
【図４】ランクアップ期間中における演出の一例を説明するための図である。
【図５】ランクアップ期間中における演出の一例を説明するための図である。
【図６】ランクアップ期間中における演出の一例を説明するための図である。
【図７】ランクアップ期間中における演出の一例を説明するための図である。
【図８】ランクアップ期間中における演出の一例を説明するための図である。
【図９】ランクアップ期間中における演出の一例を説明するための図である。
【図１０】ランクアップ期間中における演出の一例を説明するための図である。
【図１１】ランクアップ期間中における演出の一例を説明するための図である。
【図１２】ランクアップ期間中における演出の一例を説明するための図である。
【図１３】ランクアップ期間中における演出の一例を説明するための図である。
【図１４】ランクアップ期間中における演出のその他の例を説明するための図である。
【図１５】ランクアップ期間中における変更示唆演出（真）の他の例を説明するための図である。
【図１６】ランクアップ期間中における変更示唆演出（ガセ）の他の例を説明するための図である。
【図１７】本実施の形態に係るスロットマシンのサブ制御部が実行する演出制御処理を説明するための図である。
【発明を実施するための形態】
【０００９】
本発明に係る遊技機を実施例に基づいて以下に説明する。なお、本実施の形態においては、遊技機として、各々が識別可能な複数種類の識別情報を変動表示可能な可変表示部を備え、可変表示部を変動表示した後、可変表示部の変動表示を停止することで表示結果を導出し、該表示結果に応じて入賞が発生可能なスロットマシンを例示する。しかし、本発明に係る遊技機としては、遊技媒体である遊技球を発射装置によって遊技領域に発射し、遊技領域に設けられた入賞口などの入賞領域に遊技球が入賞すると、遊技用価値を遊技者に付与するパチンコ遊技機を適用してもよい。
【００１０】
［スロットマシンの構成］
図１（ａ）は、本実施形態に係るスロットマシン１の正面図であり、（ｂ）は、スロットマシン１の主な内部構成の一例を示す図である。
【００１１】
図１（ａ）に示すように、スロットマシン１は、画像を表示する液晶表示器５１と、音を出力するスピーカ５３とを備える。液晶表示器５１の下方には、透視窓３が形成されている。遊技者は、この透視窓３を介してスロットマシン１の内部に並設されているリール２Ｌ，２Ｃ，２Ｒを視認可能である。各リール２Ｌ，２Ｃ，２Ｒには、各々が識別可能な複数種類の識別情報である図柄が所定の順序で配列されている。透視窓３の下方には、ゲーム（遊技）を開始する際に操作されるスタートスイッチ７と、各リール２Ｌ，２Ｃ，２Ｒの回転を停止させて表示結果を導出させるために操作されるストップスイッチ８Ｌ，８Ｃ，８Ｒとが設けられている。
【００１２】
図１（ｂ）に示すように、スロットマシン１の内部には、遊技の進行を制御するとともに遊技の進行に応じて各種コマンドを出力するメイン制御部４１が設けられている。メイン制御部４１は、遊技の進行に係る各種制御を行うメインＣＰＵ４１ａと、遊技の進行に係る各種データを記憶するＲＡＭ４１ｃとを備える。メイン制御部４１は、スタートスイッチ７やストップスイッチ８Ｌ，８Ｃ，８Ｒに対する操作を検出し、検出した操作に応じて遊技の進行に係る制御を行う。
【００１３】
スロットマシン１の内部には、メイン制御部４１からのコマンドに応じて演出を制御するサブ制御部９１が設けられている。サブ制御部９１は、演出に係る各種制御を行うサブＣＰＵ９１ａと、演出に係る各種データを記憶するＲＡＭ９１ｃとを備える。サブ制御部９１は、メイン制御部４１からのコマンドに基づいて、液晶表示器５１における画像の表示やスピーカ５３からの音出力を制御する。液晶表示器５１の画像表示やスピーカ５３の音出力に用いられる演出データは、ＲＡＭ９１ｃに記憶されている。
【００１４】
スロットマシン１においてゲームを行う場合、遊技者は、図示しないメダル投入部にメダルを投入するか、図示しないＢＥＴスイッチを操作するなどして規定数の賭数を設定する。これにより、入賞ラインＬＮが有効となり、かつスタートスイッチ７への操作が有効となってゲームが開始可能な状態となる。入賞ラインとは、透視窓３に表示されたリール２Ｌ，２Ｃ，２Ｒにおける図柄の組合せが入賞図柄の組合せと一致するか否かを判定するためのラインである。
【００１５】
ゲームが開始可能な状態でスタートスイッチ７が操作されると、リール２Ｌ，２Ｃ，２Ｒが回転する。このとき、メイン制御部４１によって内部抽選が行われる。内部抽選は、導出を許容する図柄組合せ（表示結果）を決定する処理である。内部抽選によって図柄組合せの導出が許容されることを、当該図柄組合せに対応する役に当選したともいう。ストップスイッチ８Ｌ，８Ｃ，８Ｒが操作されると、操作されたストップスイッチに対応するリールの回転が停止する。これにより、透視窓３に図柄組合せが導出表示される。
【００１６】
なお、リールの回転を開始させるためのスタートスイッチ７に対する操作をスタート操作ともいう。また、リールの回転を停止させるためのストップスイッチ８Ｌ，８Ｃ，８Ｒに対する操作のうち、１番目のリールの回転を停止させるための操作を第１停止操作、２番目のリールの回転を停止させるための操作を第２停止操作、３番目のリールの回転を停止させるための操作を第３停止操作ともいう。入賞ラインＬＮ上において、当選役の図柄組合せと一致する図柄組合せが停止した場合、当該当選役に対応する入賞が発生する。
【００１７】
入賞が発生可能な役としては、特別役（ボーナス）、小役（本実施形態では、ベル，チェリー，スイカ）、および再遊技役（リプレイ）が設けられている。特別役（ボーナス）は、入賞することによって、小役に当選する確率が非ボーナス状態よりも高まるボーナス状態に遊技状態が制御される役である。小役（ベル，チェリー，スイカ）は、入賞することによって、メダルが付与される役である。なお、ベル当選時においては、ストップスイッチ８Ｌ，８Ｃ，８Ｒの操作タイミングに関わらず、ベルが入賞するが、チェリーやスイカ当選時においては、適切なタイミングでストップスイッチ８Ｌ，８Ｃ，８Ｒを操作しなければ、当選しているチェリーやスイカに入賞することはない。再遊技役（リプレイ）は、入賞することによって、遊技者所有のメダルを消費することなく次の遊技が開始可能となる役である。なお、小役のうち、チェリーやスイカは、内部抽選によって当選する確率がベルやリプレイといった他の役よりも低いため、レア役とも呼ばれる。
【００１８】
ボーナスが当選したときに設定される当選フラグは、当選しているボーナスの入賞が発生するまでゲームを跨いで持ち越される。本実施の形態においては、ボーナス当選が前ゲーム以前から持ち越されている状態で小役や再遊技役に当選した場合、あるいはボーナスが小役や再遊技役と同時に当選した場合、当選した小役や再遊技役に対応する図柄組合せを優先的に入賞ラインＬＮ上に引き込むようにリール制御が行われる。つまり、小役や再遊技役は、ボーナスよりも優先的に入賞可能である。なお、小役や再遊技役よりも、ボーナスが優先的に入賞可能となるようにリール制御が行われてもよい。
【００１９】
[各種演出の概要]
まず、本実施の形態に係るスロットマシン１において、サブ制御部９１によって実行される各種演出について説明する。サブ制御部９１は、メイン制御部４１からのコマンドに基づき、内部抽選における当選役の種類（ボーナス、小役、再遊技役）、および当選役の入賞有無など、遊技の状態を把握し、ＲＡＭ９１ｃに記憶された演出データを用いて各種演出を実行する。
【００２０】
図２は、本実施の形態に係るスロットマシン１が実行する演出の概要を説明するための図である。図２（ａ）に示すように、スロットマシン１によって各種の演出が実行される期間には、通常期間とランクアップ期間とが含まれる。
【００２１】
スロットマシン１は、通常期間において、当選示唆演出を実行可能である。当選示唆演出は、内部抽選の決定結果（当選状況）を示唆する演出である。当選示唆演出が実行されると、遊技者に対して、内部抽選における当選有無および当選した場合の当選役の種類が示唆される。このような当選示唆演出が実行されることにより、内部抽選の結果を遊技者に予想させることができる。
【００２２】
たとえば、メイン制御部４１によって行われた内部抽選の結果がハズレ（当選なし）である場合、サブ制御部９１によって当選示唆演出として白ナビが実行され得る。詳しくは図３（ａ４）において後述するが、白ナビが実行されると、遊技者に対して一般的にハズレを含む役を想起させるような白色を用いた演出が実行される。
【００２３】
メイン制御部４１によって行われた内部抽選の結果がベル当選である場合、サブ制御部９１によって当選示唆演出として黄ナビが実行され得る。詳しくは図３（ａ３）において後述するが、黄ナビが実行されると、遊技者に対して一般的にベルを想起させるような黄色を用いた演出が実行される。このため、黄ナビが実行されることにより、内部抽選の結果がベルに当選していることを遊技者に予想させることができる。
【００２４】
メイン制御部４１によって行われた内部抽選の結果がリプレイ当選である場合、サブ制御部９１によって当選示唆演出として青ナビまたは白ナビが実行され得る。詳しくは図３（ａ５）において後述するが、青ナビが実行されると、遊技者に対して一般的にリプレイを想起させるような青色を用いた演出が実行される。これにより、内部抽選の結果がリプレイに当選していることを遊技者に予想させることができる。また、前述したように、白ナビは、内部抽選の結果がリプレイ当選である場合に限らず、内部抽選の結果がハズレである場合にも実行され得る。このため、白ナビが実行されることにより、内部抽選の結果がハズレ、またはリプレイに当選していることを遊技者に予想させることができる。
【００２５】
メイン制御部４１によって行われた内部抽選の結果がチェリー当選である場合、サブ制御部９１によって当選示唆演出としてチェリーナビが実行され得る。詳しくは図３（ａ２）において後述するが、チェリーナビが実行されると、遊技者に対して一般的にチェリーを想起させるような演出が実行される。このため、チェリーナビが実行されることにより、内部抽選の結果がチェリーに当選していることを遊技者に予想させることができる。
【００２６】
メイン制御部４１によって行われた内部抽選の結果がスイカ当選である場合、サブ制御部９１によって当選示唆演出としてスイカナビが実行され得る。詳しくは図３（ａ７）において後述するが、スイカナビが実行されると、遊技者に対して一般的にスイカを想起させるような演出が実行される。このため、スイカナビが実行されることにより、内部抽選の結果がスイカに当選していることを遊技者に予想させることができる。
【００２７】
このように、通常期間中においては、当選示唆演出が実行されることにより、内部抽選における決定結果（当選状況）が遊技者に示唆される。
【００２８】
通常期間において所定の移行条件が成立すると、演出状態としてはランクアップ期間に移行する。所定の移行条件には、たとえば、チェリーやスイカなどのレア役に当選したことが含まれてもよい。
【００２９】
なお、所定の移行条件には、通常期間における消化ゲーム数が所定の天井ゲーム数（たとえば、１００ゲーム）に到達したこと、ボーナスに当選したこと、ボーナスに入賞したこと、ストップスイッチ８Ｌ，８Ｃ，８Ｒの操作態様（操作手順（押し順）や操作タイミング）を遊技者に報知するＡＴ（アシストタイム）に制御されたこと、およびＡＴへの制御期間を延ばすための上乗せ状態に制御されたことなど、その他の条件が含まれてもよい。つまり、ランクアップ期間は、天井ゲーム到達後の期間、ボーナス内部中の期間、ボーナス中の期間、ＡＴ中の期間、およびＡＴの上乗せ期間などであってもよい。
【００３０】
ランクアップ期間とは、提示された複数の選択肢が段階的に変化することで遊技者の有利度を視覚的に変化させ、最終的にいずれかの選択肢が選択されることで、選択された選択肢に応じた制御を行って遊技者の有利度を異ならせる期間である。
【００３１】
具体的には、ランクアップ期間においては、複数の選択肢として液晶表示器５１に複数の選択画像が表示され、表示された複数の選択画像のうちの少なくとも１つ以上の選択画像が、当該選択画像とは有利度の異なる他の選択画像に変更されることで、遊技者の有利度が視覚的に変化する。そして、選択演出によって最終的にいずれかの選択画像が選択されることで、選択された選択画像に応じた制御が行われる。たとえば、選択画像として、第１選択画像と、当該第１選択画像よりも有利度の低い第２選択画像とが液晶表示器５１に表示されている場合、第１選択画像が選択されたときには、第２選択画像が選択されたときよりも有利度の高い制御が行われ、第２選択画像が選択されたときには、第１選択画像が選択されたときよりも有利度の低い制御が行われる。
【００３２】
スロットマシン１は、ランクアップ期間において、変更示唆演出と、除外演出と、選択演出と、選択示唆演出とを実行可能である。変更示唆演出は、提示された複数の選択肢のうちの少なくとも１つ以上の選択肢のランクアップを示唆する演出である。なお、変更示唆演出には、選択肢がランクアップする場合に実行される真の変更示唆演出（変更示唆演出（真）と称する）と、選択肢がランクアップしない場合に実行されるガセの変更示唆演出（変更示唆演出（ガセ）と称する）とが含まれる。除外演出は、提示された複数の選択肢のうちの少なくとも１つ以上の選択肢を最終的に決定される選択対象から除外する演出である。選択演出は、提示された複数の選択肢のうち、最終的にいずれかの選択肢を選択する演出である。選択示唆演出は、選択演出の実行を示唆する演出である。
【００３３】
図２（ｂ）に示すように、当選示唆演出は、通常期間においては実行され得る一方で、ランクアップ期間においては実行されない。具体的には、通常期間中の内部抽選でハズレとなった場合には白ナビが実行され得るが、ランクアップ期間中の内部抽選でハズレとなっても白ナビが実行されない。通常期間中の内部抽選でベルに当選した場合には黄ナビが実行されるが、ランクアップ期間中の内部抽選でベルに当選しても黄ナビが実行されない。通常期間中の内部抽選でリプレイに当選した場合には青ナビまたは白ナビが実行されるが、ランクアップ期間中の内部抽選でリプレイに当選しても青ナビや白ナビが実行されない。通常期間中の内部抽選でチェリーに当選した場合にはチェリーナビが実行されるが、ランクアップ期間中の内部抽選でチェリーに当選してもチェリーナビが実行されない。通常期間中の内部抽選でスイカに当選した場合にはスイカナビが実行されるが、ランクアップ期間中の内部抽選でスイカに当選してもスイカナビが実行されない。
【００３４】
このように、当選示唆演出が実行される確率は、通常期間よりも、ランクアップ期間の方が低い。本実施の形態の場合、通常期間では当選示唆演出が実行され得るが、ランクアップ期間では当選示唆演出の実行確率が０％である。
【００３５】
また、白ナビは、ハズレおよびリプレイ当選のいずれにおいても実行され得る当選示唆演出であり、このような共通の当選示唆演出が実行される確率は、通常期間よりも、ランクアップ期間の方が低い。本実施の形態の場合、通常期間では白ナビが実行され得るが、ランクアップ期間では白ナビの実行確率が０％である。
【００３６】
図２（ｃ）に示すように、変更示唆演出は、通常期間においては実行されない一方で、ランクアップ期間においては実行され得る。具体的には、通常期間中の内部抽選でハズレとなった場合には変更示唆演出が実行されないが、ランクアップ期間中の内部抽選でハズレとなった場合には変更示唆演出（ガセ）が実行され得る。通常期間中の内部抽選でベルに当選した場合には変更示唆演出が実行されないが、ランクアップ期間中の内部抽選でベルに当選した場合には変更示唆演出（ガセ）が実行され得る。通常期間中の内部抽選でリプレイに当選した場合には変更示唆演出が実行されないが、ランクアップ期間中の内部抽選でリプレイに当選した場合には変更示唆演出（ガセ）が実行される。通常期間中の内部抽選でチェリーに当選した場合には変更示唆演出が実行されないが、ランクアップ期間中の内部抽選でチェリーに当選した場合には変更示唆演出（真）が実行される。通常期間中の内部抽選でスイカに当選した場合には変更示唆演出が実行されないが、ランクアップ期間中の内部抽選でスイカに当選した場合には変更示唆演出（真）が実行される。
【００３７】
このように、変更示唆演出が実行される確率は、ランクアップ期間よりも、通常期間の方が低くなっている。本実施の形態の場合、ランクアップ期間では変更示唆演出が実行され得るが、通常期間では変更示唆演出の実行確率が０％である。言い換えると、変更示唆演出が実行されない通常期間では当選示唆演出が実行され得るのに対して、当選示唆演出が実行されないランクアップ期間では変更示唆演出が実行され得る。
【００３８】
また、ランクアップ期間においては、チェリーやスイカなどのレア役に当選したときには、ハズレ、ベル当選、またはリプレイ当選であるときよりも、高い確率で変更示唆演出（真）が実行される。本実施の形態の場合、ランクアップ期間においては、チェリーやスイカなどのレア役に当選したときには、変更示唆演出（真）の実行確率が１００％であるのに対して、ハズレ、ベル当選、またはリプレイ当選であるときには、変更示唆演出（真）の実行確率が０％であり、その代わりに変更示唆演出（ガセ）が実行され得る。なお、ハズレ、ベル当選、またはリプレイ当選であるときにおいても変更示唆演出（真）が実行されてもよく、さらに、チェリーやスイカなどのレア役に当選したときにおいても変更示唆演出（ガセ）が実行されてもよい。
【００３９】
図２（ｄ）に示すように、除外演出は、通常期間においては実行されない一方で、ランクアップ期間においては実行され得る。具体的には、通常期間およびランクアップ期間のいずれにおいても、内部抽選で、ハズレ、ベル当選、またはリプレイ当選となった場合には、除外演出が実行されない。しかし、通常期間中の内部抽選でチェリーに当選した場合には除外演出が実行されないが、ランクアップ期間中の内部抽選でチェリーに当選した場合には除外演出が実行される。また、通常期間中の内部抽選でスイカに当選した場合には除外演出が実行されないが、ランクアップ期間中の内部抽選でスイカに当選した場合には除外演出が実行される。なお、ハズレ、ベル当選、またはリプレイ当選であるときにおいても除外演出が実行されてもよく、一方、チェリーやスイカなどのレア役に当選したときにおいては除外演出が実行されてもよい。
【００４０】
[通常期間中の演出]
本実施の形態に係るスロットマシン１が実行する通常期間中の演出について実施例に従って説明する。図３は、通常期間中における演出の一例を説明するための図である。なお、以下で説明する通常期間中の演出における演出態様は一例であり、その他の演出態様を通常期間中の演出に採用してもよい。
【００４１】
図３（ａ１）に示すように、通常期間中の１Ｇ目においてスタート操作されたときの内部抽選でハズレになると、当選示唆演出が実行されない。たとえば、液晶表示器５１の画面が当選示唆演出用に変化せず、スピーカ５３からも当選示唆演出用の音が出力されない。
【００４２】
図３（ａ２）に示すように、通常期間中の２Ｇ目においてスタート操作されたときの内部抽選でチェリーに当選すると、チェリーナビが実行される。たとえば、液晶表示器５１の画面がチェリーナビ用に変化してチェリーの画像とともに「チェリーを狙って」の文字画像が液晶表示器５１に表示され、さらに、スピーカ５３から「チェリー発見」の音が出力される。このように、チェリーナビが実行されることで、遊技者に対して一般的にチェリー当選を想起させるようなチェリーを用いた演出によって、チェリー当選を遊技者に予想させることができる。さらに、チェリーナビが実行されることで、ストップスイッチの操作態様（この例では左ストップスイッチ８Ｌの操作タイミング）を遊技者に示唆することができる。
【００４３】
図３（ａ３）に示すように、通常期間中の３Ｇ目においてスタート操作されたときの内部抽選でベルに当選すると、黄ナビが実行される。たとえば、液晶表示器５１の画面が黄ナビ用に変化してバナナの画像が液晶表示器５１に表示され、さらに、スピーカ５３から「バナナ発見」の音が出力される。このように、黄ナビが実行されることで、遊技者に対して一般的にベル当選を想起させるような黄色を用いた演出によって、ベル当選を遊技者に予想させることができる。
【００４４】
図３（ａ４）に示すように、通常期間中の４Ｇ目においてスタート操作されたときの内部抽選でリプレイに当選すると、白ナビが実行される。たとえば、液晶表示器５１の画面が白ナビ用に変化して白い鳥の画像が液晶表示器５１に表示され、さらに、スピーカ５３から「ギーギー」という鳥の鳴き声の音が出力される。このように、白ナビが実行されることで、白色を用いた演出によって、リプレイ当選またはハズレを遊技者に予想させることができる。
【００４５】
図３（ａ５）に示すように、通常期間中の５Ｇ目においてスタート操作されたときの内部抽選でリプレイに当選すると、青ナビが実行される。たとえば、液晶表示器５１の画面が青ナビ用に変化して海の画像が液晶表示器５１に表示され、さらに、スピーカ５３から「海」の音が出力される。このように、青ナビが実行されることで、遊技者に対して一般的にリプレイ当選を想起させるような青色を用いた演出によって、リプレイ当選を遊技者に予想させることができる。
【００４６】
図３（ａ６）に示すように、通常期間中の６Ｇ目においてスタート操作されたときの内部抽選でハズレになると、リプレイ当選時と同様に白ナビが実行される。この場合、図３（ａ４）と同様に、白色を用いた演出による白ナビが実行され、リプレイ当選またはハズレを遊技者に予想させることができる。
【００４７】
図３（ａ７）に示すように、通常期間中の７Ｇ目においてスタート操作されたときの内部抽選でスイカに当選すると、スイカナビが実行される。たとえば、液晶表示器５１の画面がスイカナビ用に変化してスイカの画像とともに「スイカを狙って」の文字画像が液晶表示器５１に表示され、さらに、スピーカ５３から「スイカ発見」の音が出力される。このように、スイカナビが実行されることで、遊技者に対して一般的にスイカ当選を想起させるようなスイカを用いた演出によって、スイカ当選を遊技者に予想させることができる。さらに、スイカナビが実行されることで、ストップスイッチの操作態様（この例ではストップスイッチ８Ｌ，８Ｃ，８Ｒの操作タイミング）を遊技者に示唆することができる。
【００４８】
ここで、７Ｇ目のスイカ当選によってランクアップ期間への移行条件が成立した場合、図３（ａ８）に示すように、７Ｇ目においてストップスイッチが第３停止操作されたときにランクアップ期間への移行示唆が実行される。たとえば、「ＣＨＡＮＣＥ」の文字が付された雲のアイコン画像が液晶表示器５１に表示され、さらに、スピーカ５３から「チャンス」の音が出力される。このように、ランクアップ期間への移行示唆が実行されることで、ランクアップ期間への移行を遊技者に期待させることができる。その後、次のゲームからランクアップ期間に移行する。
【００４９】
[ランクアップ期間中の演出]
本実施の形態に係るスロットマシン１が実行するランクアップ期間中の演出について実施例に従って説明する。図４〜図１３は、ランクアップ期間中における演出の一例を説明するための図である。なお、以下で説明するランクアップ期間中の演出における演出態様は一例であり、その他の演出態様をランクアップ期間中の演出に採用してもよい。
【００５０】
（ランクアップ期間１Ｇ目：選択肢の提示）
図４（ｂ１）に示すように、ランクアップ期間中の１Ｇ目においてスタート操作されると、ランクアップ期間の開始が遊技者に報知される。たとえば、キャラクタ画像とともに「ランクアップ開始」の文字画像が液晶表示器５１に表示される。なお、この例では、スピーカ５３から音が出力されないが、ランクアップ期間の開始を報知する音が出力されてもよい。
【００５１】
図４（ｂ２）に示すように、その後、複数（この例では３つ）の選択画像が液晶表示器５１に表示され、さらに、スピーカ５３から「バン」という効果音が出力される。なお、以下の説明においては、液晶表示器５１の画面における正面から見て左に位置する選択画像を“左選択画像”、真ん中に位置する選択画像を“中選択画像”、右に位置する選択画像を“右選択画像”と称する。
【００５２】
また、本実施の形態においては、選択演出によって最終的に選択される選択肢として、「普」、「良」、および「最良」の３つの選択肢が設けられており、液晶表示器５１に表示された３つの選択画像のそれぞれには、これら「普」、「良」、および「最良」のうちのいずれかの文字が付される。遊技者の有利度は、「最良」、「良」、「普」の順に高く、段階的にランクアップするようになっている。そして、選択演出によって最終的に「最良」が選択された場合には、「良」や「普」が選択された場合よりも、遊技者にとって有利な特典が付与されたり、あるいは、遊技者にとって有利な制御が行われたりする。なお、スタート操作時に選択画像が表示された時点では、選択画像に何らの文字も付されていない。
【００５３】
図４（ｂ３）に示すように、ストップスイッチが第１停止操作されると、１枚目の選択画像が変化して、「普」、「良」、および「最良」のうちのいずれかの文字が現れる。この例では、左ストップスイッチ８Ｌが操作されたことによって左選択画像が変化して「良」の文字が現れる。さらに、スピーカ５３から「ピロン」という効果音が出力される。
【００５４】
図４（ｂ４）に示すように、ストップスイッチが第２停止操作されると、２枚目の選択画像が変化して、「普」、「良」、および「最良」のうちのいずれかの文字が現れる。この例では、中ストップスイッチ８Ｃが操作されたことによって中選択画像が変化して「普」の文字が現れる。さらに、スピーカ５３から「ピロン」という効果音が出力される。
【００５５】
図４（ｂ５）に示すように、ストップスイッチが第３停止操作されると、３枚目の選択画像が変化して、「普」、「良」、および「最良」のうちのいずれかの文字が現れる。この例では、右ストップスイッチ８Ｒが操作されたことによって右選択画像が変化して「普」の文字が現れる。さらに、スピーカ５３から「ピロン」という効果音が出力される。
【００５６】
（ランクアップ期間２Ｇ目：変更示唆演出（真））
図５（ｂ１１）に示すようにランクアップ期間中の１Ｇ目が終了した後、図５（ｂ１２）に示すように、スタート操作が行われることでランクアップ期間中の２Ｇ目に移行する。ランクアップ期間中の２Ｇ目においてスタート操作されたときの内部抽選でチェリーに当選すると、変更示唆演出（真）が実行される。たとえば、３つの選択画像の全てに対して「良」や「普」などの文字画像に重なるようにエフェクト画像およびキャラクタ画像が液晶表示器５１に表示され、さらに、スピーカ５３から「ドン」という効果音が出力される。
【００５７】
その後、図５（ｂ１３）に示すように、ストップスイッチが第１停止操作されると、キャラクタが斜めに飛び立つようなアニメーション画像が液晶表示器５１に表示される。その後、図５（ｂ１４）に示すように、ストップスイッチが第２停止操作されると、複数の選択画像のうちの少なくとも１つ以上の選択画像に対してランクアップする旨が示唆される。たとえば、この例では、「良」の文字が付された左選択画像に対して、「ランクアップ？」の文字画像が重なって表示され、さらに、スピーカ５３から「ポン」という効果音が出力される。これにより、左選択画像が「良」から「最良」へとランクアップするかのように遊技者に期待させることができる。
【００５８】
その後、図５（ｂ１５）に示すように、ストップスイッチが第３停止操作されると、「ランクアップ？」の文字画像が消えることで、一旦、左選択画像において「良」の文字画像が現れる。そして、図５（ｂ１６）に示すように、左選択画像が徐々にまたは一度に真っ白になるホワイトアウトという演出が行われ、「良」の文字画像が消える。この一連の流れにおいて、スピーカ５３から「シュイーン」という効果音が出力される。
【００５９】
その後、図５（ｂ１７）に示すように、ホワイトアウトが行われた後、左選択画像において、文字画像が「良」から「最良」に変更された状態で現れ、さらに、スピーカ５３から「キラン」という効果音が出力される。これにより、左選択画像が「良」から「最良」へとランクアップしたことを遊技者に認識させることができる。
【００６０】
このように、ランクアップ期間においてチェリーに当選すると、変更示唆演出（真）が実行され、変更示唆演出（真）によって変更のターゲットとなった左選択画像に対して遊技者に注目させた上で、左選択画像がランクアップする。
【００６１】
また、ランクアップについては、より有利度の高い選択画像がランクアップの対象となる。たとえば、図５に示す例の場合、「良」の選択画像と、「普」の選択画像とのうち、より有利度の高い「良」の選択画像がランクアップの対象となり、変更示唆演出（真）によって「良」から「最良」に変更される。これにより、変更示唆演出によって変更のターゲットとなった有利度の高い選択画像について、さらに有利度が高くなるのではないかと遊技者に期待させることができる。
【００６２】
（ランクアップ期間３Ｇ目：変更示唆演出（ガセ））
図６（ｂ２１）に示すようにランクアップ期間中の２Ｇ目が終了した後、図６（ｂ２２）に示すように、スタート操作が行われることでランクアップ期間中の３Ｇ目に移行する。ランクアップ期間中の３Ｇ目においてスタート操作されたときの内部抽選でベルに当選すると、変更示唆演出（ガセ）が実行される。たとえば、３つの選択画像の全てに対して文字画像に重なるようにエフェクト画像およびキャラクタ画像が液晶表示器５１に表示され、さらに、スピーカ５３から「ドン」という効果音が出力される。
【００６３】
その後、図６（ｂ２３）に示すように、ストップスイッチが第１停止操作されると、キャラクタが斜めに飛び立つようなアニメーション画像が液晶表示器５１に表示される。その後、図６（ｂ２４）に示すように、ストップスイッチが第２停止操作されると、複数の選択画像のうちの少なくとも１つ以上の選択画像に対してランクアップする旨が示唆される。たとえば、この例では、「普」の文字が付された中選択画像に対して、「ランクアップ？」の文字画像が重なって表示され、さらに、スピーカ５３から「ポン」という効果音が出力される。これにより、中選択画像が「普」から「良」へとランクアップするかのように遊技者に期待させることができる。
【００６４】
その後、図６（ｂ２５）に示すように、ストップスイッチが第３停止操作されると、「ランクアップ？」の文字画像が消えることで、一旦、中選択画像において「普」の文字画像が現れる。そして、図６（ｂ２６）に示すように、中選択画像が徐々にまたは一度に真っ白になるホワイトアウトという演出が行われ、「普」の文字画像が消える。この一連の流れにおいて、スピーカ５３から「シュイーン」という効果音が出力される。
【００６５】
その後、図６（ｂ２７）に示すように、ホワイトアウトが行われた後、中選択画像において、文字画像が「普」を維持した状態で変更されることなく現れる。これにより、中選択画像がランクアップしなかったこと、すなわち、変更示唆演出がガセであったことを遊技者に認識させることができる。
【００６６】
このように、ランクアップ期間においてベルに当選すると、変更示唆演出（ガセ）が実行され、変更示唆演出（ガセ）によって変更のターゲットとなった中選択画像に対して遊技者に注目させるが、中選択画像はランクアップしないまま次のゲームに移行する。
【００６７】
（ランクアップ期間４Ｇ目：変更示唆演出（ガセ））
図７（ｂ３１）に示すようにランクアップ期間中の３Ｇ目が終了した後、図７（ｂ３２）に示すように、スタート操作が行われることでランクアップ期間中の４Ｇ目に移行する。ランクアップ期間中の４Ｇ目においてスタート操作されたときの内部抽選でリプレイに当選すると、変更示唆演出（ガセ）が実行される。たとえば、３つの選択画像の全てに対して文字画像に重なるようにエフェクト画像およびキャラクタ画像が液晶表示器５１に表示され、さらに、スピーカ５３から「ドン」という効果音が出力される。
【００６８】
その後、図７（ｂ３３）に示すように、ストップスイッチが第１停止操作されると、キャラクタが斜めに飛び立つようなアニメーション画像が液晶表示器５１に表示される。その後、図７（ｂ３４）に示すように、ストップスイッチが第２停止操作されると、複数の選択画像のうちの少なくとも１つ以上の選択画像に対してランクアップする旨が示唆される。たとえば、この例では、「普」の文字が付された右選択画像に対して、「ランクアップ？」の文字画像が重なって表示され、さらに、スピーカ５３から「ポン」という効果音が出力される。これにより、右選択画像が「普」から「良」へとランクアップするかのように遊技者に期待させることができる。
【００６９】
その後、図７（ｂ３５）に示すように、ストップスイッチが第３停止操作されると、「ランクアップ？」の文字画像が消えることで、一旦、右選択画像において「普」の文字画像が現れる。そして、図７（ｂ３６）に示すように、右選択画像が徐々にまたは一度に真っ白になるホワイトアウトという演出が行われ、「普」の文字画像が消える。この一連の流れにおいて、スピーカ５３から「シュイーン」という効果音が出力される。
【００７０】
その後、図７（ｂ３７）に示すように、ホワイトアウトが行われた後、右選択画像において、文字画像が「普」を維持した状態で変更されることなく現れる。これにより、右選択画像がランクアップしなかったこと、すなわち、変更示唆演出がガセであったことを遊技者に認識させることができる。
【００７１】
このように、ランクアップ期間においてリプレイに当選すると、変更示唆演出（ガセ）が実行され、変更示唆演出（ガセ）によって変更のターゲットとなった右選択画像に対して遊技者に注目させるが、右選択画像はランクアップしないまま次のゲームに移行する。
【００７２】
（ランクアップ期間５Ｇ目：選択示唆演出（ガセ））
図８（ｂ４１）に示すようにランクアップ期間中の４Ｇ目が終了した後、図８（ｂ４２）に示すように、スタート操作が行われることでランクアップ期間中の５Ｇ目に移行する。ランクアップ期間中の５Ｇ目においてスタート操作されたときにガセの選択示唆演出の実行条件が成立すると、選択示唆演出（ガセ）が実行される。たとえば、３つの選択画像の全てに対して文字画像に重なるようにエフェクト画像およびキャラクタ画像が液晶表示器５１に表示され、さらに、スピーカ５３から「ドン」という効果音が出力される。
【００７３】
その後、図８（ｂ４３）に示すように、ストップスイッチが第１停止操作されると、キャラクタが斜めに飛び立つようなアニメーション画像が液晶表示器５１に表示される。その後、図８（ｂ４４）に示すように、ストップスイッチが第２停止操作されると、複数の選択画像の中から少なくとも１つ以上の選択画像を選択する旨が示唆される。たとえば、この例では、キャラクタ画像とともに、「選択？」の文字画像が液晶表示器５１に表示され、さらに、スピーカ５３から「選択？」という音が出力される。
【００７４】
その後、図８（ｂ４５）に示すように、ストップスイッチが第３停止操作されると、キャラクタ画像が左下に移動するとともに、キャラクタが選択を迷っているかのような「どれにしよ」の文字画像が液晶表示器５１に表示される。さらに、スピーカ５３からキャラクタが選択を迷っているかのような「ウーン」という音が出力される。
【００７５】
その後、図８（ｂ４６）に示すように、キャラクタが帰っていくかのようなアニメーション画像が表示されるとともに、キャラクタが選択を辞めたかのような「やっぱりやめた」の文字画像が液晶表示器５１に表示される。さらに、スピーカ５３からキャラクタが帰るかのような「バイバイ」という音が出力される。
【００７６】
このように、ランクアップ期間においては、選択示唆演出（ガセ）が実行され、選択示唆演出（ガセ）によって少なくとも１つ以上の選択画像が選択されることに対して遊技者に注目させるが、結局は選択画像が選択されないまま次のゲームに移行する。
【００７７】
（ランクアップ期間６Ｇ目：演出なし）
図９（ｂ５１）に示すようにランクアップ期間中の５Ｇ目が終了した後、図９（ｂ５２）に示すように、スタート操作が行われることでランクアップ期間中の６Ｇ目に移行する。ランクアップ期間中の６Ｇ目においてスタート操作されたときの内部抽選でハズレになると、変更示唆演出などの演出が実行されない。
【００７８】
その後、図９（ｂ５３），（ｂ５４），（ｂ５５）のそれぞれに示すように、ストップスイッチが第１停止操作、第２停止操作、および第３停止操作が行われても、変更示唆演出などの演出が実行されることなく、次のゲームに移行する。
【００７９】
（ランクアップ期間７Ｇ目：除外演出）
図１０（ｂ６１）に示すようにランクアップ期間中の６Ｇ目が終了した後、図１０（ｂ６２）に示すように、スタート操作が行われることでランクアップ期間中の７Ｇ目に移行する。ランクアップ期間中の７Ｇ目においてスタート操作されたときの内部抽選でチェリーに当選すると、除外演出が実行される。たとえば、３つの選択画像の全てに対して文字画像に重なるようにエフェクト画像およびキャラクタ画像が液晶表示器５１に表示され、さらに、スピーカ５３から「ドン」という効果音が出力される。
【００８０】
その後、図１０（ｂ６３）に示すように、ストップスイッチが第１停止操作されると、キャラクタが斜めに飛び立つようなアニメーション画像が液晶表示器５１に表示される。その後、図１０（ｂ６４）に示すように、ストップスイッチが第２停止操作されると、複数の選択画像のうちの少なくとも１つ以上の選択画像に対してランクアップする旨が示唆される。たとえば、この例では、「普」の文字が付された右選択画像に対して、「ランクアップ？」の文字画像が重なって表示され、さらに、スピーカ５３から「ポン」という効果音が出力される。これにより、右選択画像が「普」から「良」へとランクアップするかのように遊技者に期待させることができる。
【００８１】
その後、図１０（ｂ６５）に示すように、ストップスイッチが第３停止操作されると、「ランクアップ？」の文字画像が消えることで、一旦、右選択画像において「普」の文字画像が現れる。そして、図１０（ｂ６６）に示すように、右選択画像が徐々にまたは一度に真っ白になるホワイトアウトという演出が行われ、「普」の文字画像が消える。この一連の流れにおいて、スピーカ５３から「シュイーン」という効果音が出力される。
【００８２】
その後、図１０（ｂ６７）に示すように、ホワイトアウトが行われた後、×印が付された状態で右選択画像が現れ、さらに、スピーカ５３から「バン」という効果音が出力される。そして、図１０（ｂ６８）に示すように、右選択画像が消去されることで、選択肢から除外される。これにより、右選択画像が選択肢から除外されたことを遊技者に認識させることができる。
【００８３】
なお、除外演出において、複数の選択画像のうちの２つ以上の選択画像が選択対象から除外されてもよい。
【００８４】
（ランクアップ期間８Ｇ目：変更示唆演出（真））
図１１（ｂ７１）に示すようにランクアップ期間中の７Ｇ目が終了した後、図１１（ｂ７２）に示すように、スタート操作が行われることでランクアップ期間中の８Ｇ目に移行する。ランクアップ期間中の８Ｇ目においてスタート操作されたときの内部抽選でスイカに当選すると、変更示唆演出（真）が実行される。たとえば、残された２つの選択画像の全てに対して文字画像に重なるようにエフェクト画像およびキャラクタ画像が液晶表示器５１に表示され、さらに、スピーカ５３から「ドン」という効果音が出力される。
【００８５】
その後、図１１（ｂ７３）に示すように、ストップスイッチが第１停止操作されると、キャラクタが斜めに飛び立つようなアニメーション画像が液晶表示器５１に表示される。その後、図１１（ｂ７４）に示すように、ストップスイッチが第２停止操作されると、複数の選択画像のうちの少なくとも１つ以上の選択画像に対してランクアップする旨が示唆される。たとえば、この例では、「普」の文字が付された中選択画像に対して、「ランクアップ？」の文字画像が重なって表示され、さらに、スピーカ５３から「ポン」という効果音が出力される。これにより、中選択画像が「普」から「良」へとランクアップするかのように遊技者に期待させることができる。
【００８６】
その後、図１１（ｂ７５）に示すように、ストップスイッチが第３停止操作されると、「ランクアップ？」の文字画像が消えることで、一旦、中選択画像において「普」の文字画像が現れる。そして、図１１（ｂ７６）に示すように、中選択画像が徐々にまたは一度に真っ白になるホワイトアウトという演出が行われ、「普」の文字画像が消える。この一連の流れにおいて、スピーカ５３から「シュイーン」という効果音が出力される。
【００８７】
その後、図１１（ｂ７７）に示すように、ホワイトアウトが行われた後、中選択画像において、文字画像が「普」から「良」に変更された状態で現れ、さらに、スピーカ５３から「キラン」という効果音が出力される。これにより、中選択画像が「普」から「良」へとランクアップしたことを遊技者に認識させることができる。
【００８８】
このように、ランクアップ期間においてスイカに当選すると、変更示唆演出（真）が実行され、変更示唆演出（真）によって変更のターゲットとなった中選択画像に対して遊技者に注目させた上で、中選択画像がランクアップする。
【００８９】
なお、図１１に示す例の場合、「最良」の選択画像と、「普」の選択画像とのうち、有利度の低い「普」の選択画像がランクアップの対象となり、変更示唆演出（真）によって「普」から「良」に変更される。これは、「最良」の選択画像が既に限界まで変更されているためである。
【００９０】
（ランクアップ期間９Ｇ目：選択示唆演出（真））
図１２（ｂ８１）に示すようにランクアップ期間中の８Ｇ目が終了した後、図１２（ｂ８２）に示すように、スタート操作が行われることでランクアップ期間中の９Ｇ目に移行する。ランクアップ期間中の９Ｇ目においてスタート操作されたときに真の選択示唆演出の実行条件が成立すると、選択示唆演出（真）が実行される。たとえば、残された２つの選択画像の全てに対して文字画像に重なるようにエフェクト画像およびキャラクタ画像が液晶表示器５１に表示され、さらに、スピーカ５３から「ドン」という効果音が出力される。
【００９１】
その後、図１２（ｂ８３）に示すように、ストップスイッチが第１停止操作されると、キャラクタが斜めに飛び立つようなアニメーション画像が液晶表示器５１に表示される。その後、図１２（ｂ８４）に示すように、ストップスイッチが第２停止操作されると、複数の選択画像の中から少なくとも１つ以上の選択画像を選択する旨が示唆される。たとえば、この例では、キャラクタ画像とともに、「選択？」の文字画像が液晶表示器５１に表示され、さらに、スピーカ５３から「選択？」という音が出力される。
【００９２】
その後、図１２（ｂ８５）に示すように、ストップスイッチが第３停止操作されると、キャラクタ画像が左下に移動するとともに、キャラクタが選択を迷っているかのような「どれにしよ」の文字画像が液晶表示器５１に表示される。さらに、スピーカ５３からキャラクタが選択を迷っているかのような「ウーン」という音が出力される。
【００９３】
その後、図１２（ｂ８６）に示すように、キャラクタがピースサインを出すようなアニメーション画像が表示されるとともに、キャラクタが選択を決めたかのような「決めた」の文字画像が液晶表示器５１に表示される。さらに、スピーカ５３から「チャラン」という音が出力される。
【００９４】
（ランクアップ期間１０Ｇ目：選択演出）
図１３（ｂ９１）に示すようにランクアップ期間中の９Ｇ目が終了した後、図１３（ｂ９２）に示すように、スタート操作が行われることでランクアップ期間中の１０Ｇ目に移行する。ランクアップ期間中の１０Ｇ目においてスタート操作されると、選択演出が実行される。たとえば、キャラクタ画像が液晶表示器５１に表示されるとともに、「決めたのは…」の文字画像が表示される。さらに、スピーカ５３から「ドン」という効果音が出力される。
【００９５】
図１３（ｂ９３）に示すように、ストップスイッチが第１停止操作されると、複数の選択画像の中から少なくとも１つ以上の選択画像が選択される。たとえば、この例では、「最良」の文字が付された左選択画像および「良」の文字が付された中選択画像のうち、「最良」の文字が付された左選択画像に対してキャラクタ画像が重なり、キャラクタが選択を決めたかのような「コレだ」の文字画像が液晶表示器５１に表示される。さらに、スピーカ５３から「コレ」という音が出力される。
【００９６】
図１３（ｂ９４）に示すように、ストップスイッチが第２停止操作されると、選択された「最良」の文字が付された選択画像のみが画面中央で表示され、さらに、スピーカ５３から「キラン」という音が出力される。そして、図１３（ｂ９５）に示すように、ストップスイッチが第３停止操作されると、「最良」の文字が付された選択画像に対して、卵の殻が割れるかのような演出が施される。さらに、スピーカ５３から卵の殻が割れるような「ピキ」という効果音が出力される。
【００９７】
その後、図１３（ｂ９６）に示すように、卵の殻が割れるかのように「最良」の文字が付された選択画像が割れ、さらに、スピーカ５３から卵の殻が割れるような「パカ」という効果音が出力される。そして、「最良」の文字が付された選択画像の中から「特典」の文字が付された雲画像が現れる。また、画面右下には、特典が付与されたことを示す「特典ＧＥＴ」の文字画像が表示される。
【００９８】
このようにして遊技者に付与される特典とは、遊技者にとって有利であればいずれの特典であってもよく、たとえば、付与された特典に基づき遊技者にとって有利な制御が行われてもよい。具体的には、特典は、状態をＡＴに制御するための権利となるＡＴゲーム数や所定数（たとえば、５０）のＡＴゲーム数がセットになったナビストックであってもよい。あるいは、特典は、ＡＴに制御するための権利が通常よりも付与され易いチャンスゾーンに制御するための権利であってもよい。
【００９９】
これに対して、１０ゲーム目において、選択演出によって「良」の文字が付された選択画像が選択された場合の例について説明する。図１４は、ランクアップ期間中における演出のその他の例を説明するための図である。
【０１００】
図１４（ｂ１９３）に示すように、ストップスイッチが第１停止操作されると、複数の選択画像の中から少なくとも１つ以上の選択画像が選択される。たとえば、この例では、「最良」の文字が付された左選択画像および「良」の文字が付された中選択画像のうち、「良」の文字が付された中選択画像に対してキャラクタ画像が重なり、キャラクタが選択を決めたかのような「コレだ」の文字画像が液晶表示器５１に表示される。さらに、スピーカ５３から「コレ」という音が出力される。
【０１０１】
図１４（ｂ１９４）に示すように、ストップスイッチが第２停止操作されると、選択された「良」の文字が付された選択画像のみが画面中央で表示され、さらに、スピーカ５３から「キラン」という音が出力される。そして、図１４（ｂ１９５）に示すように、ストップスイッチが第３停止操作されると、「良」の文字が付された選択画像に対して、卵の殻が割れるかのような演出が施される。さらに、スピーカ５３から卵の殻が割れるような「ピキ」という効果音が出力される。
【０１０２】
その後、図１４（ｂ１９６）に示すように、卵の殻が割れるかのように「良」の文字が付された選択画像が割れ、さらに、スピーカ５３から卵の殻が割れるような「パカ」という効果音が出力される。そして、「良」の文字が付された選択画像の中から「なし」の文字が付された雲画像が現れる。
【０１０３】
このように、選択演出によって複数の選択画像の中から少なくとも１つ以上の選択画像が選択され、選択演出によって選択された選択画像に応じた制御が行われる。たとえば、図１３および図１４の例では、選択演出によって選択された選択画像が「最良」であれば、特典が付与され、当該特典に応じて有利状態などに制御され、選択演出によって選択された選択画像が「良」であれば、特典が付与されず、有利状態などに制御されない。これにより、選択演出によっていずれの選択画像が選択されるかに対して遊技者に注目させることができる。
【０１０４】
また、上述した選択演出は、ランクアップ期間中の１０Ｇ目で必ず実行されてもよいが、その他のゲームで実行されてもよい。選択演出は、液晶表示器５１に複数の選択画像が表示された後の所定タイミングで実行されればよく、たとえば、抽選の結果や遊技の状況に応じて、選択演出が実行されるゲームがランダムに変更されてもよい。すなわち、ランクアップ期間は変動することで、複数の期間が設けられてもよい。なお、ランクアップ期間において選択演出が実行された後、通常期間に移行する。
【０１０５】
（変更示唆演出（真）の他の例）
図１５は、ランクアップ期間中における変更示唆演出（真）の他の例を説明するための図である。前述の図５に示す変更示唆演出（真）の例では、複数の選択画像のうちの１つの選択画像に対してランクアップする旨が示唆されたが、図１５に示す他の例のように、複数の選択画像のうちの２つ以上の選択画像に対してランクアップする旨が示唆されてもよい。
【０１０６】
たとえば、図１５（ｃ１）に示すようにランクアップ期間中の前ゲームが終了した後、図１５（ｃ２）に示すように、スタート操作が行われることでランクアップ期間中の次ゲームに移行する。ランクアップ期間中の次ゲームにおいてスタート操作されたときの内部抽選でチェリーに当選すると、変更示唆演出（真）が実行される。たとえば、３つの選択画像の全てに対して「良」や「普」などの文字画像に重なるようにエフェクト画像およびキャラクタ画像が液晶表示器５１に表示され、さらに、スピーカ５３から「ドン」という効果音が出力される。
【０１０７】
その後、図１５（ｃ３）に示すように、ストップスイッチが第１停止操作されると、キャラクタが斜めに飛び立つようなアニメーション画像が液晶表示器５１に表示される。その後、図１５（ｃ４）に示すように、ストップスイッチが第２停止操作されると、複数の選択画像のうちの少なくとも１つ以上の選択画像に対してランクアップする旨が示唆される。たとえば、この例では、「良」の文字が付された２つの左選択画像および中選択画像に対して、「ランクアップ？」の文字画像が重なって表示され、さらに、スピーカ５３から「ポン」という効果音が出力される。これにより、左選択画像および中選択画像が「良」から「最良」へとランクアップするかのように遊技者に期待させることができる。
【０１０８】
さらに、複数の選択画像に対してランクアップが示唆される場合、図５や図１１に示すように１つの選択画像に対してランクアップが示唆される場合と異なる態様で、ランクアップが示唆される。たとえば、図１５（ｃ４）に示すように複数の選択画像に対してランクアップが示唆される場合には、図５や図１１に示すように１つの選択画像に対してランクアップが示唆される場合よりも、「ランクアップ？」の文字画像を取り囲むエフェクト画像が派手になる。これにより、複数の選択画像がランクアップすることに対して効果的に遊技者に期待させることができる。
【０１０９】
その後、図１５（ｃ５）に示すように、ストップスイッチが第３停止操作されると、「ランクアップ？」の文字画像が消えることで、一旦、左選択画像および中選択画像において「良」の文字画像が現れる。そして、図１５（ｃ６）に示すように、左選択画像および中選択画像が徐々にまたは一度に真っ白になるホワイトアウトという演出が行われ、「良」の文字画像が消える。この一連の流れにおいて、スピーカ５３から「シュイーン」という効果音が出力される。
【０１１０】
その後、図１５（ｃ７）に示すように、ホワイトアウトが行われた後、左選択画像および中選択画像において、文字画像が「良」から「最良」に変更された状態で現れ、さらに、スピーカ５３から「キラン」という効果音が出力される。これにより、左選択画像および中選択画像が「良」から「最良」へとランクアップしたことを遊技者に認識させることができる。
【０１１１】
このように、ランクアップ期間においてチェリーに当選すると、変更示唆演出（真）が実行され、変更示唆演出（真）によって変更のターゲットとなった左選択画像および中選択画像に対して遊技者に注目させた上で、左選択画像および中選択画像がランクアップする。
【０１１２】
また、複数の選択画像のうち、１つに限らず、２つ以上の選択画像が一度にランクアップすることもあるため、遊技の興趣を向上させることができる。
【０１１３】
なお、変更示唆演出（真）において、複数の選択画像のうちの全ての選択画像に対してランクアップする旨が示唆されてもよい。また、複数の選択画像のうちの全ての選択画像がランクアップしてもよい。また、ランクアップが示唆された複数の選択画像のうち、一部の選択画像がランクアップし、その他の選択画像はランクアップしなくてもよい。たとえば、図１５に示す例の場合、左選択画像および中選択画像のうち、一方がランクアップするのに対して、他方はランクアップしなくてもよい。
【０１１４】
また、ランクアップについては、より有利度の高い選択画像がランクアップの対象となる。たとえば、図１５に示す例の場合、２つの「良」の選択画像と、１つの「普」の選択画像とのうち、より有利度の高い２つの「良」の選択画像がランクアップの対象となり、変更示唆演出（真）によって「良」から「最良」に変更される。これにより、変更示唆演出によって変更のターゲットとなった有利度の高い選択画像について、さらに有利度が高くなるのではないかと遊技者に期待させることができる。
【０１１５】
（変更示唆演出（ガセ）の他の例）
図１６は、ランクアップ期間中における変更示唆演出（ガセ）の他の例を説明するための図である。前述の図６および図７に示す変更示唆演出（ガセ）の例では、複数の選択画像のうちの１つの選択画像に対してランクアップする旨が示唆されたが、図１６に示す他の例のように、複数の選択画像のうちの２つ以上の選択画像に対してランクアップする旨が示唆されてもよい。
【０１１６】
たとえば、図１６（ｄ１）に示すようにランクアップ期間中の前ゲームが終了した後、図１６（ｄ２）に示すように、スタート操作が行われることでランクアップ期間中の次ゲームに移行する。ランクアップ期間中の次ゲームにおいてスタート操作されたときの内部抽選でベルに当選すると、変更示唆演出（ガセ）が実行される。たとえば、３つの選択画像の全てに対して「良」や「普」などの文字画像に重なるようにエフェクト画像およびキャラクタ画像が液晶表示器５１に表示され、さらに、スピーカ５３から「ドン」という効果音が出力される。
【０１１７】
その後、図１６（ｄ３）に示すように、ストップスイッチが第１停止操作されると、キャラクタが斜めに飛び立つようなアニメーション画像が液晶表示器５１に表示される。その後、図１６（ｄ４）に示すように、ストップスイッチが第２停止操作されると、複数の選択画像のうちの少なくとも１つ以上の選択画像に対してランクアップする旨が示唆される。たとえば、この例では、「良」の文字が付された２つの左選択画像および中選択画像に対して、「ランクアップ？」の文字画像が重なって表示され、さらに、スピーカ５３から「ポン」という効果音が出力される。これにより、左選択画像および中選択画像が「良」から「最良」へとランクアップするかのように遊技者に期待させることができる。
【０１１８】
その後、図１６（ｄ５）に示すように、ストップスイッチが第３停止操作されると、「ランクアップ？」の文字画像が消えることで、一旦、左選択画像および中選択画像において「良」の文字画像が現れる。そして、図１６（ｄ６）に示すように、左選択画像および中選択画像が徐々にまたは一度に真っ白になるホワイトアウトという演出が行われ、「良」の文字画像が消える。この一連の流れにおいて、スピーカ５３から「シュイーン」という効果音が出力される。
【０１１９】
その後、図１６（ｄ７）に示すように、ホワイトアウトが行われた後、左選択画像および中選択画像において、文字画像が「良」を維持した状態で変更されることなく現れる。これにより、左選択画像および中選択画像がランクアップしなかったこと、すなわち、変更示唆演出がガセであったことを遊技者に認識させることができる。
【０１２０】
このように、ランクアップ期間においてベルに当選すると、変更示唆演出（ガセ）が実行され、変更示唆演出（ガセ）によって変更のターゲットとなった左選択画像および中選択画像に対して遊技者に注目させるが、左選択画像および中選択画像はランクアップしないまま次のゲームに移行する。
【０１２１】
なお、変更示唆演出（ガセ）において、複数の選択画像のうちの全ての選択画像に対してランクアップする旨が示唆されてもよい。また、複数の選択画像のうちの全ての選択画像がランクアップしなくてもよい。
【０１２２】
（演出制御処理のフロー）
以上、通常期間およびランクアップ期間中における各種演出について例示しながら説明した。以下では、スロットマシン１のサブ制御部９１が実行する演出制御処理について説明する。図１７は、本実施の形態に係るスロットマシン１のサブ制御部９１が実行する演出制御処理を説明するための図である。
【０１２３】
図１７に示すように、サブ制御部９１は、メイン制御部４１から内部抽選の結果を示す当選コマンドを受信したか否かを判定する（Ｓ２）。サブ制御部９１は、当選コマンドを受信していない場合（Ｓ２でＮＯ）、本処理を終了する。一方、サブ制御部９１は、当選コマンドを受信した場合（Ｓ２でＹＥＳ）、ランクアップ期間中であるか否かを判定する（Ｓ４）。
【０１２４】
サブ制御部９１は、ランクアップ期間中でない場合（Ｓ４でＮＯ）、すなわち通常期間中である場合、当選示唆演出の実行条件が成立したか否かを判定する（Ｓ６）。ここでは、サブ制御部９１は、当選コマンドに示された内部抽選の結果と、図２（ｂ）に示す当選示唆演出実行テーブルとに基づき、当選示唆演出を実行するか否か、および実行する場合の当選示唆演出の種類を決定する。
【０１２５】
サブ制御部９１は、当選示唆演出の実行条件が成立していない場合（Ｓ６でＮＯ）、本処理を終了する。一方、サブ制御部９１は、当選示唆演出の実行条件が成立した場合（Ｓ６でＹＥＳ）、当選示唆演出を実行するための制御を行う（Ｓ８）。その後、サブ制御部９１は、本処理を終了する。
【０１２６】
サブ制御部９１は、ランクアップ期間中である場合（Ｓ４でＹＥＳ）、変更示唆演出の実行条件が成立したか否かを判定する（Ｓ１０）。ここでは、サブ制御部９１は、当選コマンドに示された内部抽選の結果と、図２（ｃ）に示す変更示唆演出実行テーブルとに基づき、変更示唆演出を実行するか否か、および実行する場合の変更示唆演出の種類（真またはガセの種類、および変更示唆の対象となる選択肢の数など）を決定する。
【０１２７】
サブ制御部９１は、変更示唆演出の実行条件が成立した場合（Ｓ１０でＹＥＳ）、変更示唆演出を実行するための制御を行う（Ｓ１２）。その後、サブ制御部９１は、本処理を終了する。
【０１２８】
サブ制御部９１は、変更示唆演出の実行条件が成立しなかった場合（Ｓ１０でＮＯ）、除外演出の実行条件が成立したか否かを判定する（Ｓ１４）。ここでは、サブ制御部９１は、当選コマンドに示された内部抽選の結果と、図２（ｄ）に示す除外演出実行テーブルとに基づき、除外演出を実行するか否か、および実行する場合の除外演出の種類（除外対象となる選択肢の数など）を決定する。
【０１２９】
サブ制御部９１は、除外演出の実行条件が成立した場合（Ｓ１４でＹＥＳ）、除外演出を実行するための制御を行う（Ｓ１６）。その後、サブ制御部９１は、本処理を終了する。
【０１３０】
サブ制御部９１は、除外演出の実行条件が成立しなかった場合（Ｓ１４でＮＯ）、選択示唆演出の実行条件が成立したか否かを判定する（Ｓ１８）。ここでは、サブ制御部９１は、当選コマンドに示された内部抽選の結果と、図示しない選択示唆演出実行テーブルとに基づき、選択示唆演出を実行するか否か、および実行する場合の選択示唆演出の種類（真またはガセの種類など）を決定する。なお、選択示唆演出は、内部抽選の結果に関わらず、ランクアップ期間の消化ゲーム数が所定ゲーム数（たとえば、１０ゲーム）に到達したときに実行条件が成立してもよい。また、当該所定ゲーム数は、抽選によってランダムに決定されてもよい。
【０１３１】
サブ制御部９１は、選択示唆演出の実行条件が成立した場合（Ｓ１８でＹＥＳ）、選択示唆演出を実行するための制御を行う（Ｓ２０）。その後、サブ制御部９１は、本処理を終了する。一方、サブ制御部９１は、選択示唆演出の実行条件が成立しなかった場合（Ｓ１８でＮＯ）、本処理を終了する。
【０１３２】
このように、サブ制御部９１は、演出制御処理に基づき、通常期間中に当選示唆演出を実行する一方で、ランクアップ期間中に変更示唆演出、除外演出、および選択示唆演出などを実行する。
【０１３３】
［主な効果］
次に、前述した実施の形態により得られる主な効果を説明する。
【０１３４】
（１）  遊技を行う遊技機（たとえば、スロットマシン１）であって、
互いの有利度の異なる複数の選択画像（たとえば、左選択画像，中選択画像，右選択画像）を表示部（たとえば、液晶表示器５１）に表示させる表示手段（たとえば、サブ制御部９１による液晶表示器５１を制御する処理）と、
前記表示部に前記複数の選択画像が表示された後（たとえば、図４に示すように、ランクアップ期間の１Ｇ目で選択画像が表示された後）の所定タイミング（たとえば、図１０に示すように、ランクアップ期間の１０Ｇ目）において、当該複数の選択画像の中から少なくとも１つ以上の選択画像を選択する選択手段（たとえば、サブ制御部９１による選択画像を選択する処理）と、
前記選択手段によって選択された前記選択画像に応じた制御を行う制御手段（たとえば、サブ制御部９１による選択画像の選択によって付与された特典に応じて有利状態に制御する処理）と、
前記表示部に前記複数の選択画像が表示されてから前記所定タイミングが到来するまでの表示期間（たとえば、ランクアップ期間）において、変更条件が成立したとき（たとえば、図１７のＳ１０でＹＥＳのとき）に、当該複数の選択画像のうちの少なくとも１つ以上の選択画像を、当該選択画像とは有利度の異なる他の選択画像に変更する変更手段（たとえば、図５，図１１，図１５に示すように、サブ制御部９１による選択画像をランクアップさせる処理）とを備え、
前記変更手段は、前記表示期間（たとえば、図５に示すランクアップ期間中の２Ｇ目）において、前記複数の選択画像のうち、第１選択画像（たとえば、「良」の選択画像）および当該第１選択画像よりも有利度の低い第２選択画像（たとえば、「普」の選択画像）が前記表示部に表示されている場合、前記変更条件が成立したときに、当該第２選択画像よりも高い確率で当該第１選択画像を変更する（たとえば、「良」の選択画像と「普」の選択画像とでは、１００％の確率で「良」の選択画像が変更される）。
【０１３５】
具体的には、図４〜図１６に示すランクアップ期間中の演出において、段階的に有利度の異なる「最良」、「良」、「普」の文字が付された複数の選択画像が表示され、図１３に示す選択演出によって最終的にいずれかの選択画像が選択される。そして、選択演出によって最終的に選択された選択画像で示された有利度に応じて、遊技者にとって有利な特典が付与されたり、あるいは、遊技者にとって有利な制御が行われたりする。さらに、図５に示すように、選択画像における有利度は変更示唆演出によってランクアップすることがあり、「良」の選択画像と「普」の選択画像とが表示されている場合、１００％の確率で「良」の選択画像がランクアップする。
【０１３６】
このように、表示された複数の選択画像のうち、有利度の高い方の選択画像をランクアップさせる一方で、有利度の低い方の選択画像は現状維持にすることができるため、遊技の射幸性が上がりすぎることなく遊技の興趣を向上させることができる。また、有利度の高い方の選択画像のみが段階的にランクアップしていくようにすれば、遊技者の有利度を段階的に引き上げることができ、遊技の興趣を向上させることができる。
【０１３７】
なお、「良」の選択画像と「普」の選択画像とが表示されている場合、「普」の選択画像よりも高い確率で「良」の選択画像がランクアップしてもよい。
【０１３８】
（２）  前記変更手段による前記選択画像の変更を示唆する変更示唆演出（たとえば、図５および図１１に示す変更示唆演出）を実行する変更示唆演出手段（たとえば、サブ制御部９１による変更示唆演出を実行する処理）をさらに備え、
前記変更示唆演出手段は、前記表示部に表示された前記複数の選択画像のうち、いずれの前記選択画像が変更されるかに応じた態様で前記変更示唆演出を実行する（たとえば、図５に示すように左選択画像をランクアップさせる場合には左選択画像に対して「ランクアップ？」の文字画像が重なって表示され、図１１に示すように中選択画像をランクアップさせる場合には中選択画像に対して「ランクアップ？」の文字画像が重なって表示される）。
【０１３９】
具体的には、図５〜図８，図１１，図１５，図１６に示すように、変更示唆演出（真）または変更示唆演出（ガセ）が実行された場合、ランクアップを示唆する対象となる選択画像に対して「ランクアップ？」の文字画像が重なって表示される。そして、変更示唆演出（真）の場合、「ランクアップ？」の文字画像によってランクアップが示唆された選択画像がランクアップする。
【０１４０】
このように、「ランクアップ？」の文字画像によってランクアップが示唆された選択画像がランクアップするため、ランクアップが示唆された選択画像に対して遊技者を注目させることができ、遊技の興趣を向上させることができる。
【０１４１】
（３）  前記変更手段は、前記表示部に表示された前記複数の選択画像のうち、１つの前記選択画像を変更する場合（たとえば、図５，図１１に示す例）と、複数の前記選択画像を変更する場合（たとえば、図１５に示す例）とがある。
【０１４２】
具体的には、図５および図１１に示すように、液晶表示器５１に表示された複数の選択画像のうち、１つの選択画像がランクアップする場合もあれば、図１５に示すように、液晶表示器５１に表示された複数の選択画像のうち、複数（たとえば、２つ）の選択画像がランクアップする場合もある。
【０１４３】
このように、ランクアップする選択画像が１つの場合もあれば複数の場合もあるため、どれだけの数の選択画像がランクアップするのかに対して遊技者に注目させることができ、遊技の興趣を向上させることができる。
【０１４４】
（４）  前記変更示唆演出手段は、前記表示部に表示された前記複数の選択画像のうち、前記変更手段によって変更される前記選択画像の数に応じた態様で前記変更示唆演出を実行する（たとえば、図５および図１１に示すように１つの選択画像がランクアップする場合と、図１５に示すように複数の選択画像がランクアップする場合とで、「ランクアップ？」の文字画像を取り囲むエフェクト画像の表示態様が異なる）。
【０１４５】
具体的には、図５および図１１に示すように１つの選択画像がランクアップする場合には当該１つの選択画像に対して「ランクアップ？」の文字画像が重なって表示され、図１５に示すように複数の選択画像がランクアップする場合には当該複数の選択画像のそれぞれに対して「ランクアップ？」の文字画像が重なって表示される。さらに、図５および図１１に示すように１つの選択画像がランクアップする場合よりも、図１５に示すように複数の選択画像がランクアップする場合の方が、「ランクアップ？」の文字画像を取り囲むエフェクト画像が派手になる。
【０１４６】
このように、変更示唆演出においては、ランクアップする選択画像の数に応じた態様で当該選択画像に対するランクアップの示唆の態様が異なるため、変更示唆演出によるランクアップの示唆態様に対して遊技者に注目させることができ、遊技の興趣を向上させることができる。
【０１４７】
（５）  前記遊技機は、各々が識別可能な複数種類の識別情報（たとえば、図柄）を変動表示可能な可変表示部（たとえば、リール２Ｌ，２Ｃ，２Ｒ）を変動表示した後、前記可変表示部の変動表示を停止することで表示結果を導出し、該表示結果に応じて入賞が発生可能なスロットマシン（たとえば、スロットマシン１）であって、
表示結果を導出させるために操作される導出操作手段（たとえば、ストップスイッチ８Ｌ，８Ｃ，８Ｒ）と、
導出を許容する表示結果を決定する事前決定手段（たとえば、メイン制御部４１による内部抽選を実行する処理）と、
表示結果を導出させる制御を行う導出制御手段（たとえば、メイン制御部４１によるリール制御）と、
前記事前決定手段の決定結果が所定決定結果（たとえば、チェリー当選，スイカ当選）であるときに当該所定決定結果に対応した前記導出操作手段の操作態様（たとえば、チェリー入賞するための操作タイミング，スイカ入賞するための操作タイミング）を報知する操作態様報知（たとえば、チェリーナビ，スイカナビなどの当選示唆演出）を行う報知手段（たとえば、サブ制御部９１による当選示唆演出を実行する処理）とをさらに備え、
前記操作態様報知が行われるときには、当該操作態様報知が行われないときよりも、前記変更示唆演出が実行される確率が低い（たとえば、図２（ｂ），（ｃ）に示すように、チェリーナビやスイカナビが実行される通常期間においては、変更示唆演出が実行されない）。
【０１４８】
具体的には、図３（ａ２），（ａ７）に示すように、通常期間においては、チェリーやスイカに当選したときにチェリーナビやスイカナビが実行され、チェリー図柄やスイカ図柄を遊技者に狙わせるようなキャラクタのセリフが表示されることで、チェリー入賞やスイカ入賞するための操作タイミングが遊技者に報知される。一方、図２（ｂ），（ｃ）に示すように、チェリーナビやスイカナビのような当選示唆演出が実行される通常期間においては、変更示唆演出が実行されない。
【０１４９】
このように、当選示唆演出によって操作タイミングが遊技者に報知されるときには変更示唆演出が実行されないため、ストップスイッチの操作に対して遊技者を集中させることができ、遊技者が誤った操作をしてしまうことを極力防止することができる。
【０１５０】
なお、チェリーナビやスイカナビのような当選示唆演出は、ランクアップ期間に実行されてもよいが、この場合、当選示唆演出が実行されるゲームでは、当選示唆演出が実行されないゲームよりも低い確率で変更示唆演出が実行される方がよい。
【０１５１】
（６）  前記表示期間は、複数設けられている（たとえば、ランクアップ期間は１０Ｇ固定であってもよいし、複数のゲーム数の間でランダムに変更してもよい）。
【０１５２】
具体的には、ランクアップ期間中の１０Ｇ固定であってもよいが、その他のゲーム数であってもよく、たとえば、抽選の結果や遊技の状況に応じて、ランクアップ期間中のゲーム数がランダムに変更されてもよい。
【０１５３】
このように、ランクアップ期間中のゲーム数がランダムに変更されるため、いつ選択演出が実行されるのかについて遊技者に注目させながら遊技させることができる。
【０１５４】
（７）  前記表示期間において、前記選択手段による前記選択画像の選択を示唆する選択示唆演出（たとえば、図１２に示す選択示唆演出）を実行する選択示唆演出手段（たとえば、サブ制御部９１による選択示唆演出を実行する処理）をさらに備える。
【０１５５】
具体的には、図１２に示すように、選択演出が実行される前においては、選択演出による選択画像の選択を示唆する選択示唆演出が実行される。
【０１５６】
このように、選択示唆演出が実行されることで、選択演出による選択画像の選択を示唆することができるため、選択演出が実行されるか否かに対して遊技者に注目させることができる。
【０１５７】
（８）  前記選択示唆演出には、前記選択手段によって前記選択画像が選択されるときに実行される真選択示唆演出（たとえば、図１２に示す選択示唆演出（真））と、前記選択手段によって前記選択画像が選択されないときに実行されるガセ選択示唆演出（たとえば、図８に示す選択示唆演出（ガセ））とが含まれ、
前記選択示唆演出手段によって前記ガセ選択示唆演出が実行された遊技の次の遊技においては、前記所定タイミングが到来しない（たとえば、図８，図９に示すように、選択示唆演出（ガセ）が実行されたゲームの次のゲームでは選択演出が実行されない）。
【０１５８】
具体的には、図１２に示すように選択示唆演出（真）が実行された次のゲームでは選択演出が実行されるのに対して、図８に示すように選択示唆演出（ガセ）が実行されたゲームの次のゲームでは選択演出が実行されない。
【０１５９】
このように、選択示唆演出（ガセ）が実行されることで選択演出が実行されないことが示唆されたゲームの次のゲームでは、選択演出が実行されないため、選択示唆演出（ガセ）が実行されたにも関わらず選択演出が実行される事態が生じ得ず、遊技の興趣を損なうことを極力防止することができる。
【０１６０】
（９）  前記変更示唆演出と前記選択示唆演出とでは、演出の途中まで演出態様が共通する（たとえば、図５に示す変更示唆演出と、図１２に示す選択示唆演出とでは、演出の途中まで演出態様が共通する）。
【０１６１】
具体的には、図５に示す変更示唆演出および図１２に示す選択示唆演出とのいずれにおいても、スタート操作されたときに選択画像に対して文字画像に重なるようにエフェクト画像およびキャラクタ画像が液晶表示器５１に表示され、その後、ストップスイッチが第１停止操作されたときにキャラクタが斜めに飛び立つようなアニメーション画像が液晶表示器５１に表示される。
【０１６２】
このように、変更示唆演出と選択示唆演出とで、演出の途中まで演出態様が共通するため、ランクアップの示唆なのか、あるいは選択画像の選択の示唆なのかについて、遊技者に注目させることができる。
【０１６３】
（１０）  前記事前決定手段の決定結果（たとえば、当選役）を示唆する決定結果示唆演出（たとえば、当選示唆演出）を実行する決定結果示唆演出手段（たとえば、サブ制御部９１による当選示唆演出を実行する処理）をさらに備え、
前記決定結果示唆演出手段によって前記決定結果示唆演出が実行される確率は、前記表示期間が開始する前の期間よりも、前記表示期間の方が低い（たとえば、図２（ｂ）に示すように、当選示唆演出は、通常期間において実行され得るのに対して、ランクアップ期間において実行されない）。
【０１６４】
具体的には、図２（ｂ）に示すように、通常期間においては、内部抽選の結果に応じて当選示唆演出が実行され得るが、ランクアップ期間においては、内部抽選の結果に関わらず１００％の確率で当選示唆演出が実行されない。
【０１６５】
このように、ランクアップ期間においては、通常期間よりも当選示唆演出の実行確率が低いため、選択画像のランクアップに対して遊技者を集中させることができる。
【０１６６】
なお、当選示唆演出は、ランクアップ期間に実行されてもよいが、この場合、当選示唆演出の実行確率は、通常期間よりもランクアップ期間の方が低い方がよい。
【０１６７】
（１１）  前記事前決定手段の決定結果には、通常決定結果（たとえば、ハズレ，ベル当選，リプレイ当選）と、特別決定結果（たとえば、チェリー当選，スイカ当選）とが含まれ、
前記事前決定手段の決定結果が前記特別決定結果であるときには前記通常決定結果であるときよりも高い確率で、前記変更条件が成立し（たとえば、図２（ｃ）に示すように、チェリー当選やスイカ当選の場合には変更示唆演出（真）が実行され、ハズレ，ベル当選，リプレイ当選の場合には変更示唆演出が実行されないか、あるいは変更示唆演出（ガセ）が実行される）、
前記決定結果示唆演出手段によって前記事前決定手段の決定結果が前記通常決定結果である旨を示唆する前記決定結果示唆演出が実行される確率は、前記表示期間が開始する前の期間よりも、前記表示期間の方が低い（たとえば、図２（ｂ）に示すように、ハズレ，ベル当選，リプレイ当選の場合、当選示唆演出は、通常期間において実行され得るのに対して、ランクアップ期間において実行されない）。
【０１６８】
具体的には、ハズレ，ベル当選，リプレイ当選の場合には変更示唆演出が実行されないか、あるいは変更示唆演出（ガセ）が実行され、図２（ｂ）に示すように、通常期間においては、このようなハズレ，ベル当選，リプレイ当選のときに当選示唆演出が実行され得るが、ランクアップ期間においては、ハズレ，ベル当選，リプレイ当選であっても１００％の確率で当選示唆演出が実行されない。
【０１６９】
このように、ランクアップ期間においては、変更示唆演出が実行し難いハズレ，ベル当選，リプレイ当選となった場合でも、通常期間よりも当選示唆演出の実行確率が低いため、選択画像のランクアップに対して遊技者を集中させることができる。
【０１７０】
なお、当選示唆演出は、ランクアップ期間に実行されてもよいが、この場合、当選示唆演出の実行確率は、通常期間よりもランクアップ期間の方が低い方がよい。
【０１７１】
（１２）  前記事前決定手段の決定結果には、特定決定結果（たとえば、リプレイ当選）と、いずれの表示結果の導出も許容しないハズレ決定結果（たとえば、ハズレ）とが含まれ、
前記決定結果示唆演出には、前記事前決定手段の決定結果が前記特定決定結果であるときと前記ハズレ決定結果であるときとで共通する共通決定結果示唆演出（たとえば、図３（ａ４），（ａ６）に示す白ナビ）と、前記事前決定手段の決定結果が前記特定決定結果であるときのみ実行される特定決定結果示唆演出（たとえば、図３（ａ５）に示す青ナビ）とが含まれ、
前記決定結果示唆演出手段によって前記共通決定結果示唆演出が実行される確率は、前記表示期間が開始する前の期間よりも、前記表示期間の方が低い（たとえば、図２（ｂ）に示すように、ハズレ，リプレイ当選の場合、白ナビは、通常期間において実行され得るのに対して、ランクアップ期間において実行されない）。
【０１７２】
具体的には、ハズレになった場合とリプレイ当選の場合とで共通の白ナビは、通常期間においては実行され得るが、ランクアップ期間においては実行されない。
【０１７３】
このように、ランクアップ期間においては、ハズレの可能性がある白ナビの実行確率が、通常期間よりも低いため、選択画像のランクアップに対して遊技者を集中させることができる。
【０１７４】
なお、白ナビは、ランクアップ期間に実行されてもよいが、この場合、白ナビの実行確率は、通常期間よりもランクアップ期間の方が低い方がよい。
【０１７５】
（１３）  前記変更手段は、前記変更示唆演出によって前記変更手段による前記選択画像の変更が示唆された後に、前記表示部に表示された前記複数の選択画像のうちの少なくとも１つ以上の選択画像を変更する（たとえば、図５，図１１，図１５に示すように、変更示唆演出（真）によって「ランクアップ？」の文字画像が表示された後に、選択画像がランクアップする）。
【０１７６】
具体的には、図５，図１１，図１５に示すように、変更示唆演出（真）によって「ランクアップ？」の文字画像が表示されることで選択画像の変更が示唆された後に、選択画像がランクアップする。
【０１７７】
このように、選択画像の変更が示唆された後に当該選択画像がランクアップするため、選択画像の変更に対して段階的に遊技者に注目させることができる。
【０１７８】
（１４）  前記変更手段は、前記変更示唆演出によって前記変更手段による前記選択画像の変更が示唆された後に、変更前の前記選択画像を前記表示部に一旦表示させた後、変更後の前記選択画像を前記表示部に表示させる（たとえば、図５，図１１，図１５に示すように、変更示唆演出（真）によって「ランクアップ？」の文字画像が表示された後に、一旦変更前の選択画像が表示された後、ホワイトアウトが行われた後に、変更後のランクアップした選択画像が表示される）。
【０１７９】
具体的には、図５，図１１，図１５に示すように、変更示唆演出（真）によって「ランクアップ？」の文字画像が表示されることで選択画像の変更が示唆された後に、「ランクアップ？」の文字画像が消えることで一旦変更前の選択画像が表示され、その後、ホワイトアウトが行われた後に、変更後のランクアップした選択画像が表示される。
【０１８０】
このように、選択画像がランクアップする際には、一旦変更前の選択画像が表示されるため、選択画像のランクアップを遊技者に分かり易く伝えることができる。
【０１８１】
（１５）  前記変更手段は、前記表示部に表示された前記複数の選択画像のうちの少なくとも１つ以上の選択画像を特定表示態様（たとえば、ホワイトアウトで選択画像が徐々にまたは一度に真っ白になる）で前記表示部に表示させた後、当該選択画像を変更する。
【０１８２】
具体的には、図５，図１１，図１５に示すように、変更示唆演出（真）によって「ランクアップ？」の文字画像が表示されることで選択画像の変更が示唆された後に、ホワイトアウトで選択画像が徐々にまたは一度に真っ白になり、その後、変更後のランクアップした選択画像が表示される。また、このとき、ランクアップの対象ではない他の選択画像についてはホワイトアウトが行われない。
【０１８３】
このように、選択画像がランクアップする際には、当該選択画像に対してホワイトアウトが行われるため、ランクアップ対象となる選択画像に対して遊技者に注目させることができる。
【０１８４】
（１６）  前記表示期間において、除外条件が成立したとき（たとえば、図１７のＳ１４でＹＥＳのとき）に、前記表示部に表示された前記複数の選択画像のうちの少なくとも１つ以上の選択画像を前記選択手段における選択対象から除外する除外手段（たとえば、図１０に示すように、サブ制御部９１による除外演出を実行する処理）をさらに備える。
【０１８５】
具体的には、図１０に示すように、除外演出が実行されることで、液晶表示器５１に表示された複数の選択画像のうちの少なくとも１つ以上の選択画像が選択演出における選択対象から除外される。
【０１８６】
このように、除外演出によっていずれかの選択画像が選択演出における選択対象から除外されるため、選択対象が変化することで遊技の興趣を向上させることができる。
【０１８７】
（１７）  前記除外手段は、前記表示部に表示された前記複数の選択画像のうち、前記変更手段によって変更された前記選択画像については、前記選択手段における選択対象から除外しない、または、他の前記選択画像よりも低い確率で前記選択手段における選択対象から除外する（図１０に示すように、ランクアップした選択画像については、除外演出によって除外されない）。
【０１８８】
具体的には、図５に示す変更示唆演出（真）によって「最良」にランクアップした左選択画像については、図１０に示すように、除外演出によって除外されない）。
【０１８９】
このように、ランクアップすることで遊技者の注目を集めている選択画像については選択対象から除外されないため、ランクアップした選択画像が選択対象から除外されることで遊技の興趣を損ねてしまうことがない。
【０１９０】
（１８）  前記除外手段は、前記表示部に表示された前記複数の選択画像のうち、前記第１選択画像（たとえば、「最良」の選択画像）よりも高い確率で前記第２選択画像（たとえば、「普」の選択画像）を前記選択手段における選択対象から除外する（たとえば、「最良」の選択画像と「普」の選択画像との間では、１００％の確率で「普」の選択画像が除外される）。
【０１９１】
具体的には、図１０に示すように、「最良」の文字が付された選択画像と、「普」の文字が付された選択画像とでは、１００％の確率で「普」の文字が付された選択画像が除外される。
【０１９２】
このように、有利度の高い選択画像よりも、有利度の低い選択画像の方が除外されるため、遊技の興趣を向上させることができる。
【０１９３】
［変形例］
以上、本発明における主な実施の形態を説明してきたが、本発明は、上記の実施の形態に限られず、種々の変形、応用が可能である。以下、本発明に適用可能な上記の実施の形態の変形例について説明する。
【０１９４】
（選択画像のランクアップについて）
ランクアップ期間が開始した直後では、複数の選択画像が同じ有利度の状態から段階的にランクアップしていってもよいし、互いに異なる有利度の状態から段階的にランクアップしていってもよい。
【０１９５】
複数の選択画像のうち、所定有利度よりも高い有利度の選択画像のみがランクアップし、所定有利度よりも低い有利度の選択画像はランクアップしないものであってもよい。また、所定有利度よりも高い有利度の選択画像は、所定有利度よりも低い有利度の選択画像よりも高い確率でランクアップしてもよい。
【０１９６】
選択画像のランクアップについて、ランクアップ期間に移行する際、あるいはランクアップ期間の移行契機が成立した際に、予めランクアップの行方（最終結果）が決まっている、所謂出来レースであってもよいし、たとえば、内部抽選などの結果に応じてランクアップの行方（最終結果）が変動するものであってもよい。また、ランクアップ期間の途中まで予めランクアップの行方（最終結果）が決まっており、残りのランクアップ期間において、たとえば、内部抽選などの結果に応じてランクアップの行方（最終結果）が変動するものであってもよい。
【０１９７】
（選択画像の選択について）
選択演出による選択画像の選択について、予め選択される選択画像が決まっている、所謂出来レースであってもよいし、たとえば、内部抽選などの結果に応じて選択される選択画像が変動するものであってもよい。内部抽選などの結果に応じて選択される選択画像が変動する例として、たとえば、選択演出が実行されたゲームにおいて、押し順役（ストップスイッチ８Ｌ，８Ｃ，８Ｒの押し順に応じて入賞役が変化する役）に対する押し順報知が行われた際、当該押し順報によって報知されたストップスイッチ８Ｌ，８Ｃ，８Ｒの位置に従って選択画像が選択されてもよい。具体的には、押し順報によってストップスイッチ８Ｌを第１停止操作する旨が報知された場合には左選択画像が選択され、押し順報によってストップスイッチ８Ｃを第１停止操作する旨が報知された場合には中選択画像が選択され、押し順報によってストップスイッチ８Ｒを第１停止操作する旨が報知された場合には右選択画像が選択されてもよい。
【０１９８】
（当選示唆演出について）
当選示唆演出は、白ナビ，黄ナビ，青ナビのように当選役の種類を示唆するものや、チェリーナビやスイカナビのように役を入賞させるための操作タイミングを示唆するものに限らず、特定の役を入賞させるための押し順を示唆するものであってもよい。たとえば、押し順役に当選したときには、当選示唆演出として、当該押し順役に含まれる特定の役を入賞させるための押し順を遊技者に示唆する演出が行われてもよい。
【０１９９】
前述したように、内部抽選の結果がハズレ、ベル当選、リプレイ当選、チェリー当選、またはスイカ当選の場合、通常期間においては当選示唆演出が実行され得るのに対して、ランクアップ期間においては当選示唆演出が実行されないものであった。あるいは、内部抽選の結果がハズレ、ベル当選、リプレイ当選、チェリー当選、またはスイカ当選の場合、通常期間においては、ランクアップ期間よりも当選示唆演出が実行される確率が高くなっていた。このことに関して、以下のように当選役と特典とを関連付けてもよい。
【０２００】
たとえば、通常期間およびランクアップ期間において、ボーナス（ＢＢ：ビッグボーナス，ＲＢ：レギュラーボーナス）、または後述するＣＺやＡＴに制御するための権利といった特典の付与確率は、チェリー当選やスイカ当選の方が、ハズレ、ベル当選、リプレイ当選よりも高いものであってもよい。さらに、チェリー当選やスイカ当選の場合における特典の付与確率は、ランクアップ期間の方が、通常期間よりも、高いものであってもよい。つまり、ランクアップ期間におけるチェリー当選やスイカ当選の有利度と、ハズレ、ベル当選、リプレイ当選の有利度との乖離は、通常期間におけるチェリー当選やスイカ当選の有利度と、ハズレ、ベル当選、リプレイ当選の有利度との乖離よりも大きくてもよい。
【０２０１】
このように構成した場合において、ランクアップ期間でチェリー当選やスイカ当選時に当選示唆演出を実行してしまうと、遊技者にランクアップを期待させるとともに、特典の付与に対しても期待させてしまうことになり、過度の期待を遊技者に享受してしまう。この点、本実施形態においては、通常期間においては当選示唆演出が実行され得るのに対して、ランクアップ期間においては当選示唆演出が実行されない、あるいは、通常期間においてはランクアップ期間よりも当選示唆演出が実行される確率が高いため、ランクアップ期間においてチェリー当選やスイカ当選時に当選示唆演出が実行されてしまうことで遊技者に過度に期待させてしまうことを防止することができる。
【０２０２】
また、ランクアップ期間でハズレ、ベル当選、リプレイ当選時に当選示唆演出を実行してしまうと、ランクアップされないことが遊技者に認識されてしまうとともに特典が付与されないことについて落胆させてしまう。この点、本実施形態においては、通常期間においては当選示唆演出が実行され得るのに対して、ランクアップ期間においては当選示唆演出が実行されない、あるいは、通常期間においてはランクアップ期間よりも当選示唆演出が実行される確率が高いため、ランクアップ期間においてハズレ、ベル当選、リプレイ当選時に当選示唆演出が実行されてしまうことで遊技者に過度に落胆させてしまうことを防止することができる。
【０２０３】
（選択画像における特典について）
選択画像においては、「最良」、「良」、「普」といったように、有利度を表す文字画像が示されていたが、たとえば、「ＣＺ」、「ＡＴ」、「特化ゾーン」といったように、具体的な特典の内容が示されていてもよい。ＣＺとは、ＡＴに制御するための権利が付与される可能性のある状態である。特化ゾーンとは、ＡＴ中であってかつ当該ＡＴの制御期間を引き延ばすための権利が付与される可能性のある状態である。このように、選択画像によって示された特典のいずれかが選択演出によって選択され、選択された特典に応じた制御が行われることで、遊技者に直観的にランクアップ期間における各種演出の面白みを享受することができる。
【０２０４】
（パチンコ遊技機への適用について）
前述した実施の形態では、遊技機の一例であるスロットマシンについて説明した。しかし、これに限らず、いわゆる遊技球を遊技領域に打込んで遊技を行うパチンコ遊技機に対して、上述した実施形態を適用してもよい。
【０２０５】
たとえば、大当り遊技状態中において、当該大当たりが確変状態（たとえば、大当り確率が通常よりも高まる状態）が付加された確変大当りであるのか、当該大当たりが時短状態（たとえば、大当り抽選の時間が通常よりも短縮される状態）が付加された時短大当りであるのか、あるいは、確変状態も時短状態も付加されていない通常大当りであるのかを、複数の選択画像を表示することで遊技者に示してもよい。そして、通常大当り、時短大当り、確変大当りの順番で段階的に選択画像がランクアップするようにし、最終的に選択された選択画像に応じて、大当り遊技状態後に確変状態や時短状態に制御するようにしてもよい。なお、その他の場面においても、上述した実施形態をパチンコ遊技機に適用してもよい。
【０２０６】
以上のように、本実施の形態における各種演出をパチンコ遊技機に適用した場合であっても、本実施の形態に係るスロットマシン１と同様の効果を得ることができる。
【０２０７】
なお、上述した本実施の形態および変形例における各種構成、各種処理、各種処理のタイミングなどは、適宜組合せることができる。
【０２０８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２０９】
１  スロットマシン、２Ｌ，２Ｃ，２Ｒ  リール、３  透視窓、７  スタートスイッチ、８Ｌ，８Ｃ，８Ｒ  ストップスイッチ、４１  メイン制御部、４１ａ  メインＣＰＵ、４１ｃ  ＲＡＭ、５１  液晶表示器、５３  スピーカ、９１  サブ制御部、９１ａ  サブＣＰＵ、９１ｃ  ＲＡＭ。
【図１】
2020014672.tif 000003
【図２】
2020014672.tif 000004
【図３】
2020014672.tif 000005
【図４】
2020014672.tif 000006
【図５】
2020014672.tif 000007
【図６】
2020014672.tif 000008
【図７】
2020014672.tif 000009
【図８】
2020014672.tif 000010
【図９】
2020014672.tif 000011
【図１０】
2020014672.tif 000012
【図１１】
2020014672.tif 000013
【図１２】
2020014672.tif 000014
【図１３】
2020014672.tif 000015
【図１４】
2020014672.tif 000016
【図１５】
2020014672.tif 000017
【図１６】
2020014672.tif 000018
【図１７】
2020014672.tif 000019